(57)【要約】【課題】            ホタルの幼虫の育成を観賞しうるような、ホタルの幼虫育成容器の構成を提供すること。【解決手段】        水を収容し得る容器１の低部に、ホタルの幼虫が出入り自在であり、かつ外部からの光を遮蔽し得るドーム２を設けるとともに、当該容器内にホタルの幼虫が這い上がることができる板状体３を立設したことに基づき、ホタルが幼虫から成虫に至るまでの育成過程を観賞することが出来、しかも成虫の状態をも鑑賞することが出来るホタルの幼虫育成容器【選択図】          図３
2006191872.tif 000002
【特許請求の範囲】
【請求項１】
水を収容し得る容器の低部に、ホタルの幼虫が出入り自在であり、かつ外部からの光を遮蔽し得るドームを設けるとともに、当該容器内にホタルの幼虫が這い上がることができる板状体を立設したことに基づくホタルの幼虫育成用容器
【請求項２】
ドームにおいて、お椀が湾曲した屋根を形成し、その両側を壁としたうえで、当該屋根及び壁の長手方向のうちの少なくとも一方を開口状態としたうえで、前記屋根において、前記板状態を嵌入する凹部を設けたことを特徴とする請求項１記載のホタルの幼虫育成用容器
【請求項３】
ドームの屋根を形成している板の側面下端部に幼虫が出入自在の切欠部を設けたことを特徴とする請求項２記載のホタルの幼虫育成用容器
【請求項４】
前記板状体を透明としたことを特徴とする請求項１記載のホタルの幼虫育成用容器
【請求項５】
浄水装置を設けたことを特徴とする請求項１記載のホタルの幼虫育成用容器
【発明の詳細な説明】
【技術分野】
【０００１】
本発明は、卵の孵化から、成虫に至るまでの、幼虫段階にあるホタルを育成し、かつ、当該育成の状況を観賞し得るホタルの幼虫育成容器に関するものである。
【背景技術】
【０００２】
ホタルの幼虫は、水中において、川蜷等の貝類を栄養源としながら、水中にて成長し、その後、水中から陸上部に這い上がって成虫と化すことが知られている。
【０００３】
特許文献１、２、３に示すように、産卵による卵の状態から成虫に至るまでの自然環境に模したホタルの育成施設の構成は既に提案されている。
【０００４】
当該施設は、水を導入する貯水部分、貯水部分の周囲における成虫を育成する為の陸上部分、更には、水中部分と陸上部分との間の成虫が這い上がるための特定の施設等を必要としている。
【０００５】
しかしながら、幼虫段階にあるホタルを容器に収容したうえで、当該幼虫の成長段階を観賞しうるような、構成はこれまで提唱されていない。
【０００６】
【特許文献１】特開平８−３２２４２８号公報
【０００７】
【特許文献２】特開２００３−２１００６８号公報
【０００８】
【特許文献３】特開２００４−２２２７０４号公報
【発明の開示】
【発明が解決しようとする課題】
【０００９】
本発明は、ホタルの幼虫の育成を実現し、かつ、当該育成状況を観賞しうるような、ホタルの幼虫育成容器の構成を提供することを課題としている。
【課題を解決するための手段】
【００１０】
前記課題を解決するため、本発明の構成は、水を収容し得る容器の低部に、ホタルの幼虫が出入り自在であり、かつ外部からの光を遮蔽し得るドームを設けるとともに、当該容器内にホタルの幼虫が這い上がることができる板状体を立設したことに基づくホタルの幼虫育成用容器からなる。
【発明の効果】
【００１１】
本発明においては、従前のホタル養育施設に比し、遥かなコンパクトな空間において、ホタルの幼虫を育成し、かつ、当該育成による過程の状況を観賞することができ、しかも成虫の段階をも鑑賞することが出来る。
【発明を実施するための最良の形態】
【００１２】
前記解決手段からも明かなように、本発明においては、ホタルの幼虫が出歩き自在であり、かつ外部の光を遮蔽することが出来るドームと、ホタルの幼虫が這い上がることが出来る板状体を容器内に立設することを要件としている。
【００１３】
前記ドームを設けるのは、ホタルの幼虫が安定した状態にて育成する為には、通常の夜昼による時間的配分以上に長時間の期間を幼虫が暗い場所にいることを好む傾向があることから、当該傾向に適合させることを目的としている。
【００１４】
他方、ホタルの幼虫は、常に暗所に所在している訳ではなく、明るい場所に出没して、川蜷等の貝類を食するだけでなく、水中において自ら移動し、所定の運動を行っている。
【００１５】
容器内に前記板状体を設置するのは、ホタルが前記運動に際し、板状体を這い上がり、当該運動状態を観賞することを実現することを目的としている。
【００１６】
前記ドーム２の形態は、特に限定されていないが、図１（a）、（b）、及び図３に示すように、ドーム２において、お椀が湾曲した屋根を形成し、その両側を壁としたうえで、当該屋根及び壁の長手方向のうちの少なくとも一方を開口状態としたうえで、前記屋根において、前記板状体３を嵌入する凹部を設けたことによる実施形態が製作上簡便であるとともに、板状体３を安定した状態に維持することが出来る点において便利である。
【００１７】
前記湾曲形態としては、半円輪状又は半楕円輪状等を採用することが出来る。
【００１８】
図２は、底板上の板状体３を示すが、板状体３の形状は、平板形状に限定される訳ではなく、湾曲した形状も当然採用可能である。
【００１９】
但し、何れにせよ、幼虫の這い上がった状態を観賞するためには、板状体３が、ドーム２の高さよりも大きいことが望ましい。
【００２０】
図３に示す維持形態においては、ドーム２の屋根を形成している板の側面下端部にホタルの幼虫が出入り自在の切欠部を設けることによって、ドーム２の内外からの出入りを更に行いやすい状態を作出している。
【００２１】
本発明による容器に、水を収容したうえで、川蜷６等の貝類の幼虫の食物を配置した場合には、ホタルが成長しながら、ドーム２内に出入りし、時には前記板状体３を這い上がった状態等を視することによってホタルの幼虫の育成状況を観賞することが可能となる。
【００２２】
以下実施例につき説明する。
【実施例１】
【００２３】
実施例１においては、ホタルの幼虫が這い上がる板状体３を、透明状態としている。
【００２４】
このような透明な板状体３を選択することによって、ホタルの幼虫が、板状体３を這い上がりながら、運動している状況を、板状体３の表面だけでなく裏面も観賞することができる。
【実施例２】
【００２５】
実施例２は、図３に示すように容器内に浄水装置５を設けていることを特徴としている。
【００２６】
ホタルの幼虫の育成においては、水道水よりも天然水を使用することが好ましいが、幼虫の排泄において、水は順次汚濁しているため、水の交換を不可欠とする。
【００２７】
実施例２のように、浄水装置５を設けることによって、前記水の汚濁を軽減した場合には、育成に伴う水の交換作業を減少することが可能となる。
【産業上の利用可能性】
【００２８】
本発明は、家庭用の趣味、及び学校教育等の資材として利用することが可能である。
【図面の簡単な説明】
【００２９】
【図１】本発明のドームの実施形態においては、（a）は長手方向の側面図を示しており、（b）は、一方側の出入り口の側面図を示している。
【図２】ホタルの幼虫が這い上がる板状体の見取図である。
【図３】本発明の実施形態を示す斜視図。
【符号の説明】
【００３０】
１  容器
２  ドーム
３  板状体
４  底枠
５  浄水装置
６  川蜷
【図１】
2006191872.tif 000003
【図２】
2006191872.tif 000004
【図３】
2006191872.tif 000005